(57)【要約】【課題】データ入力作業において、ユーザが修正箇所を間違えることなく行えるようにするためのデータ入力支援装置を実現する。【解決手段】データ入力支援装置は、データを入力するためのデータ入力フィールド１２を表示するデータ入力フィールド表示手段と、データ入力フィールド１２に入力された先頭データを含むものであって、該先頭データに基づいて選択された複数の要素を含む候補データを表示する候補データ表示手段と、候補データ表示手段に表示された候補データの一つが選択されると、選択された候補データを要素別に分けて表示し、表示された要素の少なくとも１つ以上の要素について修正可能とする要素別候補データ表示手段とを有し、修正された候補データを含む候補データは、データ入力フィールド１２に入力される。【選択図】  図５
2004199518.tif 000002
【特許請求の範囲】
【請求項１】
データを入力するためのデータ入力フィールドを表示するデータ入力フィールド表示手段と、
前記データ入力フィールドに入力された先頭データを含むものであって、該先頭データに基づいて選択された複数の要素を含む候補データを表示する候補データ表示手段と、
前記候補データ表示手段に表示された前記候補データの一つが選択されると、選択された前記候補データを前記要素別に分けて表示し、表示された前記要素の少なくとも１つ以上の要素について修正可能とする要素別候補データ表示手段と、
を有し、修正された前記候補データを前記データ入力フィールドに入力することを特徴とするデータ入力支援装置。
【請求項２】
前記要素別候補データ表示手段は、選択された前記候補データが複数の要素からなる場合、前記複数の要素を、前記候補データにおける前記要素の順番に表示することを特徴とする請求項１に記載のデータ入力支援装置。
【請求項３】
前記要素別候補データ表示手段は、前記複数の要素を順番に表示する場合、前記順番の番号を付加して表示することを特徴とする請求項２に記載のデータ入力支援装置。
【請求項４】
前記要素別候補データ表示手段は、選択された前記候補データを構成する前記要素毎にデータの型を併せて表示することを特徴とする請求項１から請求項３のいずれかに記載のデータ入力支援装置。
【請求項５】
前記要素別候補データ表示手段は、選択された前記候補データが複数の要素からなる場合、前記複数の要素をリスト表示形式で表示することを特徴とする請求項１から請求項４のいずれかに記載のデータ入力支援装置。
【請求項６】
さらに、前記リスト表示形式で表示された前記複数の要素について、要素追加、要素削除又は要素順番変更をさせるためコマンドを表示するコマンド表示手段とを有し、選択されたコマンドに応じて、前記リスト表示形式で表示されている前記複数の要素について、前記要素追加、前記要素削除又は前記要素順番変更をさせて表示することを特徴とする請求項５に記載のデータ入力支援装置。
【請求項７】
前記候補データ表示手段は、前記候補データに含まれる要素の個数を表示することを特徴とする請求項１から６のいずれかに記載のデータ入力支援装置。
【請求項８】
前記候補データ表示手段は、前記候補データに含まれる要素の型情報を表示することを特徴とする請求項１から７のいずれかに記載のデータ入力支援装置。
【請求項９】
表示画面上にコンピュータデータを入力するためのデータ入力フィールドを表示させ、
前記データ入力フィールドに入力された先頭データを含むものであって、該先頭データに基づいて選択された複数の要素を含む候補データを前記表示画面上に表示させ、
表示された前記候補データの一つが選択されると、選択された前記候補データを前記要素別に分けて前記表示画面上に表示させ、
表示された前記要素の少なくとも１つ以上の要素について修正可能であり、修正された前記候補データを、前記データ入力フィールドに入力することを特徴とするデータ入力支援方法。
【請求項１０】
選択された前記候補データが複数の要素からなる場合、前記複数の要素を、前記候補データにおける前記要素の順番に表示することを特徴とする請求項９に記載のデータ入力支援方法。
【請求項１１】
前記複数の要素を順番に表示する場合、前記順番の番号を付加して表示することを特徴とする請求項１０に記載のデータ入力支援方法。
【請求項１２】
選択された前記候補データを構成する前記要素毎にデータの型を併せて表示することを特徴とする請求項９から請求項１１のいずれかに記載のデータ入力支援方法。
【請求項１３】
選択された前記候補データが複数の要素からなる場合、前記複数の要素をリスト表示形式で表示することを特徴とする請求項９から請求項１２のいずれかに記載のデータ入力支援方法。
【請求項１４】
さらに、前記リスト表示形式で表示された前記複数の要素について、要素追加、要素削除又は要素順番変更をさせるためコマンドを表示し、選択されたコマンドに応じて、前記リスト表示形式で表示されている前記複数の要素について、前記要素追加、前記要素削除又は前記要素順番変更をさせて表示することを特徴とする請求項１３に記載のデータ入力支援方法。
【請求項１５】
前記候補データに含まれる要素の個数を表示することを特徴とする請求項９から１４のいずれかに記載のデータ入力支援方法。
【請求項１６】
前記候補データに含まれる要素の型情報を表示することを特徴とする請求項９から１５のいずれかに記載のデータ入力支援方法。
【請求項１７】
コンピュータに、
表示画面上にコンピュータデータを入力するためのデータ入力フィールドを表示させる機能と、
前記データ入力フィールドに入力された先頭データを含むものであって、該先頭データに基づいて選択された複数の要素を含む候補データを前記表示画面上に表示させる機能と、
表示された前記候補データの一つが選択されると、選択された前記候補データを前記要素別に分けて前記表示画面上に表示させる機能と、
表示された前記要素の少なくとも１つ以上の要素について修正可能であり、修正された前記候補データを、前記データ入力フィールドに入力する機能とを、実現するためのプログラム。
【発明の詳細な説明】
【０００１】
【発明の属する技術分野】
本発明は、データ入力支援装置、データ入力支援方法及びプログラムに関し、特に、プログラミング等のデータ入力作業における修正箇所をユーザが間違えることが無いようにするためのデータ入力支援装置、データ入力支援方法及びプログラムに関する。
【０００２】
【従来の技術】
従来より、コンピュータシステム、コンピュータ装置等（以下、単にコンピュータという）に、データ又はプログラムを入力する場合、データ等を入力する者、は、ＣＲＴ等の表示装置に表示された画面を見ながら、キーボード、マウス等を用いて、入力すべきデータ等を入力する。
【０００３】
図１８は、データ入力画面の例を示す図である。コンピュータへのデータ入力者であるユーザが、あるソフトウエアプログラム（以下、単にソフトウエアという）、例えばプログラム作成ソフトウエアを起動し、必要なプログラムやデータの入力を行うとき、その入力画面１１中のあるデータ入力フィールド１２に、入力すべきデータを入力する。通常、ユーザは、マウス等を用いてデータ入力フィールド１２にカーソルを移動して、データを手入力する。
【０００４】
データ入力において、ユーザが、同じあるいは類似する形式のデータ等を何度も入力しなければならない場合がある。例えば、データ形式が「記号"("データ "," ... "," データ")"」であるデータを入力する場合であれば、このデータ形式は、例えば、「f(a, b, c)」という複数の要素からなるデータであり、具体的には、「append(list1, list2, list3)」等である。言い換えれば、このデータ形式は、ある記号に、複数の引数データが付随したデータ形式である。
【０００５】
同じソフトウエア内では類似したデータ形式のデータが用いられることが多いので、例えば、「f(a, b, c)」というデータを入力した後に、具体的に言えば、上記のデータ「append(list1, list2, list3)」を入力した後に、「append(list4, list2, list3)」というデータを、ユーザが入力したい場合がある。
【０００６】
ユーザが、このような同じあるいは類似する形式のデータ等を何度も入力しなければならないときは、ユーザにとって手入力作業は煩雑なものとなる。すなわち、同じあるいは類似する形式のデータを入力する度に、ユーザは、全てのデータを手入力するか、あるいは同じデータをコピー・アンド・ペーストするか、あるいは類似する形式のデータをコピー・アンド・ペーストして、変更しなければならない部分のみを修正していたが、その入力作業の負荷は大きい。
【０００７】
そこで、同じあるいは類似する形式のデータ等を入力するときの支援手段あるいは補完手段として、同じあるいは類似する形式のデータ等を入力候補として表示する入力支援機能を有するソフトウエアやその入力支援機能を搭載した装置がある（例えば、特許文献１参照）。
【０００８】
図１９から図２３は、この入力支援機能の機能を説明するためのデータ入力フィールド部を示す図である。図１９から図２３では、コンピュータの表示装置に表示されるデータ入力画面１１の中のデータ入力フィールド１２のみを示して説明する。入力支援機能は、ユーザがデータ入力フィールド１２に、図１９に示すように入力すべきデータの最初の記号、例えば「f」を入力すると、同じ記号から始まる、既に入力済みのデータを、図２０に示すように入力データ候補として列挙して表示する。図２０において、１２ａは、候補リスト表示部であり、入力データの候補がリスト表示形式で表示される。
【０００９】
その後、図２１の点線の枠で示すように、候補の1つをマウス等を用いて選択すると、図２２に示すように、選択された候補のデータがデータ入力フィールド１２に表示され、ユーザはそのデータに基づいてデータ修正が可能となる。なお、図２１において、選択された候補は点線枠で示していあるが、一般には反転表示される。そして、ユーザは、データ入力フィールド１２に表示されたデータを、そのまま入力データとして決定してもよいし、あるいは一部を修正等した後に入力データとしてもよい。例えば、図２３に示すように、ユーザは、データ入力フィールド１２に表示されたデータ中「a」を「d」に修正して、入力データとすることができる。
【００１０】
【特許文献１】
特開2001-228952号公報（第６頁、図６）
【００１１】
【発明が解決しようとする課題】
しかし、このような従来の入力支援機能にも問題がある。すなわち、入力データの候補を、データ入力フィールド１２に表示させた後のデータ編集の際には、データ全体を見て、修正すべき場所を指定して、修正をしなければならない。そのため、入力すべきデータが長い文字列等であると、データ入力フィールド１２に表示されるデータ量が多く、例えば表示される文字列が長大なものになってしまうため、ユーザが修正箇所を特定するのが容易でなくなり、修正箇所を間違えてしまう場合がある。
【００１２】
そこで、本発明は、データ入力作業において、ユーザが修正箇所を間違えることなく行えるようにするためのデータ入力支援装置を提供することを目的とする。
【００１３】
【課題を解決するための手段】
本発明のデータ入力支援装置は、データを入力するためのデータ入力フィールドを表示するデータ入力フィールド表示手段と、前記データ入力フィールドに入力された先頭データを含むものであって、該先頭データに基づいて選択された複数の要素を含む候補データを表示する候補データ表示手段と、前記候補データ表示手段に表示された前記候補データの一つが選択されると、選択された前記候補データを前記要素別に分けて表示し、表示された前記要素の少なくとも１つ以上の要素について修正可能とする要素別候補データ表示手段とを有し、修正された前記候補データを前記データ入力フィールドに入力する。
【００１４】
【発明の実施の形態】
以下、図面を参照して本発明の実施の形態を説明する。
【００１５】
まず、図１に基づき、本実施の形態に係わるコンピュータの構成を説明する。図１は、本実施の形態に係わるコンピュータの構成を示す構成図である。図１において、１は、コンピュータであり、中央処理装置（CPU）を含むコンピュータ本体２を有する。コンピュータ本体２には、ＣＲＴ、液晶パネル等の表示装置３と、文字、数字等を入力するためのキーボード４と、表示装置３の画面上のカーソルの移動等するためのポイティングデバイスであるマウス５と、各種プログラムをストアするメモリ装置６とが接続されている。コンピュータ１は、メモリ装置６にストアされたプログラムを実行し、実行プログラムに従って、表示装置３に所定の画面を表示する。そして、ユーザは、表示された画面上において、データを入力することができる。
【００１６】
ユーザが実行したプログラムによって、例えば、上述した図１８に示すようなデータ入力画面１１が表示され、そのデータ入力画面１１中にデータ入力フィールド１２が表示される。本発明の実施の形態に係るデータ入力支援機能は、ユーザがこのようなデータ入力フィールド１２にデータを入力するときに、実現される。
【００１７】
図２は、データ入力フィールド１２の表示例を示す図である。なお、図２から図１６では、コンピュータ１の表示装置３に表示されるデータ入力画面１１中、データ入力フィールド１２に関連する表示部分のみを示して説明する。ユーザが、データ入力フィールド１２に、図２に示すように入力すべきデータの先頭記号のデータ、ここでは「f」を入力すると、同じ記号「f」から始まる、既に入力済みのデータが、例えば、図３に示す候補リスト表示部１２ａに入力データ候補としてリスト表示形式で列挙して表示される。すなわち、ユーザが、データ入力フィールド１２に何らかのデータを入力すると、候補リスト表示部１２ａがデータ入力フィールド１２の近傍に（ここではデータ入力フィールド１２の下に）、ポップアップ表示され、先頭記号が「f」であって、その先頭記号を含むものであって、該先頭データに基づいて選択された複数の要素を含む候補データがリスト表示形式で表示される。
【００１８】
次に、ユーザが、図４において点線で示すように、候補リスト表示部１２ａにリスト表示された候補の中から、マウス等を用いて一つの候補「f(a, b, c)」を選択し、画面１１中の確定ボタン１２ｂをマウス５を操作して押す、すなわちクリックすると、図５の要素別候補データ表示部１３が、データ入力フィールド１２に代わって、あるいはデータ入力フィールド１２の表示とは別に、表示される。なお、本実施の形態では、図４等に示すように、選択された候補は点線枠で示しているが、一般には反転表示される。
【００１９】
図５は、選択された候補のデータを、文字毎、記号毎等の要素に分割して表示する要素別候補データ表示部１３の構成例を示す図である。要素別候補データ表示部１３は、図４の例であれば、先頭記号表示部１３ａと、引数表示部１３ｂからなる。すなわち、要素別候補データ表示部１３は、選択された候補データ「f(a, b, c)」を、「f」、「a」、「b」、「c」の要素別に分け、候補データ中の要素の順番に応じて表示する。
【００２０】
要素別候補データ表示部１３において、表示された各要素について、すなわち「f」、「a」、「b」、「c」のいずれの要素についても、ユーザは、マウス、キーボード等を用いて、修正可能である。例えば、ユーザが、候補データ「f(a, b, c)」中、「a」を「d」に変更するときは、カーソルを要素「a」の表示部１３ｂ１のところに移動させ、データの修正を行う。ユーザは、図５において点線で示すように「a」を選択し、図６に示すように引数の１番目の「a」を「d」に容易に修正することができる。
【００２１】
ここでは、複数の要素が、それぞれ個別の表示部１３ｂ１、１３ｂ２、１３ｂ３に表示されているので、ユーザは、修正したいデータの箇所「a」を容易に特定し、選択し、かつ「d」に修正することができるので、修正箇所を間違ってしまうことがない。
【００２２】
そして、ユーザが要素データの修正を終了し、その内容でデータ入力フィールド１２への入力データの内容としたいときは、図６に示すように画面１１中に設けられた確定ボタン１３ｃをクリックすると、入力画面１１において入力候補データ分割表示部１３の表示は消え、図７に示すようにデータ入力フィールド１２の表示が現れる。なお、データ入力フィールド１２と要素別候補データ表示部１３が併せて表示されているときは、データ入力フィールド１２は元々表示されていることになる。図７において、データ入力フィールド１２には、図６の要素別候補データ表示部１３において修正された内容が入力され、表示されている。
【００２３】
以上のように、データ入力の候補データ群の中から選択された候補データは、文字毎、記号毎等の要素に分割して表示されるので、ユーザは修正すべきデータの箇所を容易に特定することができ、間違えなく修正することができる。
【００２４】
次に、本実施の形態の変形例について説明する。
【００２５】
図８は、図５の要素別候補データ表示部１３の表示の変形例を示す図である。
【００２６】
図８の要素別候補データ表示部１３では、候補データ「f(a, b, c)」の要素である引数「a」、「b」、「c」の順番「1」、「2」、「3」が、各要素表示の近傍に番号１３ｄで表示される。従って、引数が多数ある場合は、修正、編集したい引数を容易に特定することができる。
【００２７】
図９及び図１０は、図３の候補リスト表示部１２ａの表示の変形例を示す図である。
【００２８】
図９では、候補リスト表示部１２ａは、候補データの表示の際に、引数の個数１３ｅを各候補データに表示する。これにより、入力したいデータの引数の個数が分かっており、それが過去の類似データと同じ個数である場合に、図１０の点線で示すように、ユーザは、容易に適切な候補データを選択することができる。
【００２９】
図１１及び図１２は、図３の候補リスト表示部１２ａの表示の他の変形例を示す図である。
【００３０】
図１１は、候補リスト部１２ａを表示する際に、引数の表示と併せて、各引数の型情報１３ｆも表示されている。ここで、一般にプログラムで扱うデータは、整数や文字列といった種類に分類されるが、そのような種類の情報を型情報と呼ぶ。図１１において、「int 」および「String 」は、型がそれぞれ整数であることを表す。これにより、入力したいデータの引数の型情報が予め分かっており、その型情報が過去の類似データと同じ型情報を持つ場合に、図１２の点線で示すように、ユーザは、容易に適切な候補データを選択することができる。
【００３１】
図１３は、図５の要素別候補データ表示部１３の表示の他の変形例を示す。
【００３２】
図１３は、要素別候補データ表示部１３は、候補データ選択後、その選択された候補データの引数を個別に分けて表示する際に、各引数の型情報１３ｇも併せて同時に表示している。これにより、引数が多数の際に、修正等の編集をしたい引数を、ユーザは、容易に特定することができる。
【００３３】
図１４は、図５の要素別候補データ表示部１３の表示のさらに他の変形例を示す図である。
【００３４】
図１４は、要素別候補データ表示部１３は、引数の表示と併せて、各引数の順番を番号１３ｄで表示すると共に各引数の型情報１３ｇを表示している。これにより、引数が多数の際に、ユーザは、編集したい引数を特定するのが容易になる。
【００３５】
図１５及び図１６は、図５の要素別候補データ表示部１３のさらに他の変形例を示す図である。
【００３６】
図１５に示すように、要素別候補データ表示部１３を画面に表示したときに、要素追加、要素削除及び要素順番変更を行うために、引数表示箇所の追加・削除・順番変更を可能とする機能が、追加されている。
【００３７】
図１５に示すように、画面１１内において、例えば、引数表示箇所１３ａ、１３ｂの下部に、「追加」ボタン１３ｈ、「削除」ボタン１３ｉ、「1つ上へ」ボタン１３ｊ、および「1つ下へ」ボタン１３ｋのコマンドボタンが設けられる。これらのボタンをクリックすると、対応する機能のコマンドが実行される。
【００３８】
図１５の点線で示すように、引数表示部１３ｂの中から１つの引数の箇所を選択し、「追加」ボタン１３ｈをクリックすると、図１６に示す画面表示に変更される。図１６では、引数表示箇所が、選択された引数の箇所の下に追加されている。なお、一番上への追加については、たとえば、データ全体の最初の記号(本例では "f")を選択して「追加」ボタンをクリックするなどにより可能である。
【００３９】
削除ボタン１３ｉは、選択された引数の箇所の引数を削除するためのボタンであり、削除したい引数の箇所を選択して、削除ボタン１３ｉをクリックすると、その選択された引数は削除される。
【００４０】
「1つ上へ」ボタン１３ｊ及び「1つ下へ」ボタン１３ｋは、要素の順番を移動させるためのボタンであり、移動したい引数の箇所を選択して、「1つ上へ」ボタン１３ｊをクリックすると、その選択された引数は画面１１上で一つ上の順番になり、一つ上の順番の引数は一つ下の順番となる。同様に、移動したい引数の箇所を選択して、「1つ下へ」ボタン１３ｋをクリックすると、その選択された引数は画面１１上で一つ下の順番になり、一つ下の順番の引数は一つ上の順番となる。
【００４１】
例えば、１０番目の引数は、「１つ上へ」ボタンで移動すると９番目となり、「１つ下へ」ボタンで移動すると１１番目となる。
【００４２】
以上の機能を実現するための、コンピュータにおけるデータ入力支援処理の流れの例について説明する。図１７は、データ入力支援処理の流れの例を示すフローチャートである。
【００４３】
まず、データを入力するためのデータ入力フィールド１２を表示させるコマンドが発行されると、コンピュータ１の表示装置３の画面上に、図２に示すようなデータ入力フィールド１２が表示される（ステップ（以下、Sと略す）１）。
【００４４】
データ入力フィールド１２に何らかのデータが入力されたか否かが判断される（S2）。データ入力フィールド１２にデータ入力がなければ、何も実行されない。データ入力フィールド１２にデータ入力があると、S2でＹＥＳとなって、入力されたデータに基づいて、図３に示す候補リスト表示部１２ａに候補データをリスト表示形式で表示する（S3）。候補データの表示は、過去に入力されたデータの中から、入力されたデータを含むデータを検索することによって行われる。
【００４５】
そして、ユーザによって候補リスト表示部１２ａの中から候補データの一つが選択されたか否かが判断される（S4）。ユーザによって候補リスト表示部１２ａの中から候補データの一つが選択がされると、要素別候補データ表示部１３によって候補データを要素に分けて表示する（S5）。候補データを要素に分ける方法は、例えば、「,」あるいは「()」で区切られている文字等を一つの要素と判断する等の方法である。S4において選択がされないときは、何もしない。
【００４６】
要素別候補データ表示部１３が表示されているときは、表示された複数の要素の少なくとも１つ以上の要素について修正可能となっている。
【００４７】
そして、確定ボタン１３ｃがクリックされたか否かが判断され（S6）、確定ボタン１３ｃがクリックされたときは、S6でＹＥＳとなって、図７のようにデータ入力フィールド１２の表示内容が、要素別候補データ表示部１３の内容に更新される（S8）。
【００４８】
なお、以上説明した処理動作を実行するプログラムは、フロッピー（登録商標）ディスク、ＣＤ−ＲＯＭ等の可搬媒体や、ハードディスク等の記憶装置等に、その全体あるいは一部が記録され、あるいは記憶されている。そのプログラムがコンピュータにより読み取られて、動作の全部あるいは一部が実行される。あるいは、そのプログラムの全体あるいは一部を通信ネットワークを介して流通または提供することができる。利用者は、通信ネットワークを介してそのプログラムをダウンロードしてコンピュータにインストールしたり、あるいは記録媒体からコンピュータにインストールすることで、容易に本発明のデータ入力支援装置を実現することができる。
【００４９】
本発明は、上述した実施の形態に限定されるものではなく、本発明の要旨を変えない範囲において、種々の変更、改変等が可能である。
【００５０】
【発明の効果】
以上説明したように、本発明によれば、データ入力作業において、ユーザが修正箇所を間違えることなく行えるようにするためのデータ入力支援装置を実現することができる。
【図面の簡単な説明】
【図１】本発明の実施の形態に係わるコンピュータの構成を示す構成図である。
【図２】本発明の実施の形態に係わるデータ入力フィールドの表示例を示す図である。
【図３】本発明の実施の形態に係わるデータ入力フィールドの表示例を示す図である。
【図４】本発明の実施の形態に係わるデータ入力フィールドの表示例を示す図である。
【図５】本発明の実施の形態に係わる要素別候補データ表示部の表示構成例を示す図である。
【図６】本発明の実施の形態に係わる要素別候補データ表示部の表示構成例を示す図である。
【図７】本発明の実施の形態に係わるデータ入力フィールドの表示例を示す図である。
【図８】本発明の実施の形態に係わる要素別候補データ表示部の表示構成の変形例を示す図である。
【図９】本発明の実施の形態に係わる候補リスト表示部の表示の変形例を示す図である。
【図１０】本発明の実施の形態に係わる候補リスト表示部の表示の変形例を示す図である。
【図１１】本発明の実施の形態に係わる候補リスト表示部の表示の他の変形例を示す図である。
【図１２】本発明の実施の形態に係わる候補リスト表示部の表示の他の変形例を示す図である。
【図１３】本発明の実施の形態に係わる要素別候補データ表示部の表示の他の変形例を示す。
【図１４】本発明の実施の形態に係わる要素別候補データ表示部の表示のさらに他の変形例を示す図である。
【図１５】本発明の実施の形態に係わる、コマンドボタンが併せて表示された要素別候補データ表示部のさらに他の変形例を示す図である。
【図１６】本発明の実施の形態に係わる、コマンドボタンが併せて表示された要素別候補データ表示部のさらに他の変形例を示す図である。
【図１７】本発明の実施の形態に係わるデータ入力支援処理の流れの例を示すフローチャートである。
【図１８】データ入力画面の例を示す図である。
【図１９】入力支援機能の機能を説明するためのデータ入力フィールド部を示す図である。
【図２０】入力支援機能の機能を説明するためのデータ入力フィールド部を示す図である。
【図２１】入力支援機能の機能を説明するためのデータ入力フィールド部を示す図である。
【図２２】入力支援機能の機能を説明するためのデータ入力フィールド部を示す図である。
【図２３】入力支援機能の機能を説明するためのデータ入力フィールド部を示す図である。
【符号の説明】
１・・・コンピュータ、２・・・本体、３・・・表示装置、４・・・キーボード、５・・・マウス、６・・・メモリ装置、１２・・・データ入力フィールド、１３・・・要素別候補データ表示部１３
【図１】
2004199518.tif 000003
【図２】
2004199518.tif 000004
【図３】
2004199518.tif 000005
【図４】
2004199518.tif 000006
【図５】
2004199518.tif 000007
【図６】
2004199518.tif 000008
【図７】
2004199518.tif 000009
【図８】
2004199518.tif 000010
【図９】
2004199518.tif 000011
【図１０】
2004199518.tif 000012
【図１１】
2004199518.tif 000013
【図１２】
2004199518.tif 000014
【図１３】
2004199518.tif 000015
【図１４】
2004199518.tif 000016
【図１５】
2004199518.tif 000017
【図１６】
2004199518.tif 000018
【図１７】
2004199518.tif 000019
【図１８】
2004199518.tif 000020
【図１９】
2004199518.tif 000021
【図２０】
2004199518.tif 000022
【図２１】
2004199518.tif 000023
【図２２】
2004199518.tif 000024
【図２３】
2004199518.tif 000025